(57)【特許請求の範囲】
【請求項１】
集中制御基地局と複数の張り出し無線局が広帯域伝送路を介して接続されたマルチセル型の無線アクセスシステムにおいて、
前記集中制御基地局は、前記複数の張り出し無線局のそれぞれ配下の端末局がアクセス要求を行うレンジング信号を送信するレンジング用無線リソースを、アクセス要求のある端末局の数に応じて前記複数の張り出し無線局にそれぞれ分配する無線リソース制御手段を備え、
前記端末局は、帰属する張り出し無線局を介して通知されたレンジング用無線リソースで前記レンジング信号を送信する構成であり、
前記無線リソース制御手段は、前記複数の張り出し無線局にそれぞれ分配したレンジング用無線リソースの総和受信電力を測定し、その総和受信電力比に応じて前記レンジング用無線リソースの分配比率を決め、前記複数の張り出し無線局にそれぞれレンジング用無線リソースを再分配する構成である
ことを特徴とする無線アクセスシステム。
【請求項２】
請求項１に記載の無線アクセスシステムにおいて、
前記集中制御基地局は、前記複数の張り出し無線局にそれぞれ分配する前記レンジング用無線リソースの情報を含む制御信号を前記複数の張り出し無線局に同報通知するとともに、前記張り出し無線局に所定の無線フレームを送信する構成であり、
前記張り出し無線局は、前記同報通知された前記制御信号から自局に分配されたレンジング用無線リソースを認識し、当該レンジング用無線リソースを前記無線フレームに挿入して配下の端末局に通知する構成である
ことを特徴とする無線アクセスシステム。
【請求項３】
集中制御基地局と複数の張り出し無線局が広帯域伝送路を介して接続されたマルチセル型の無線アクセスシステムにおいて、
前記集中制御基地局は、前記複数の張り出し無線局の配下でアクセス要求のある端末局の数に応じて、各張り出し無線局を順次アクティブにする期間を制御するとともに、端末局がアクセス要求を行うレンジング信号を送信するレンジング用無線リソースをアクティブの張り出し無線局を介して配下の端末局に通知する無線リソース制御手段を備え、
前記端末局は、前記アクティブの張り出し無線局から通知されたレンジング用無線リソースで前記レンジング信号を送信する構成であり、
前記無線リソース制御手段は、前記複数の張り出し無線局のそれぞれのアクティブ期間におけるレンジング用無線リソースの総和受信電力を測定し、その総和受信電力比に応じて各張り出し無線局のアクティブ期間を決め、前記複数の張り出し無線局を順次アクティブに制御する構成である
ことを特徴とする無線アクセスシステム。
【請求項４】
請求項１または請求項３に記載の無線アクセスシステムにおいて、
前記端末局は、前記集中制御基地局との通信コネクションが確立するまで前記レンジング信号の送信を繰り返し、その繰り返しごとに前記レンジング信号の送信電力を増大させる送信電力制御手段を備えた
ことを特徴とする無線アクセスシステム。
【請求項５】
請求項１または請求項３に記載の無線アクセスシステムの端末局装置において、
前記集中制御基地局との通信コネクションが確立するまで前記レンジング信号の送信を繰り返し、その繰り返しごとに前記レンジング信号の送信電力を増大させる送信電力制御手段を備えた
ことを特徴とする端末局装置。
【請求項６】
集中制御基地局と複数の張り出し無線局が広帯域伝送路を介して接続されたマルチセル型の無線アクセス方法において、
前記集中制御基地局は、前記複数の張り出し無線局のそれぞれ配下の端末局がアクセス要求を行うレンジング信号を送信するレンジング用無線リソースを、アクセス要求のある端末局の数に応じて前記複数の張り出し無線局にそれぞれ分配し、
前記端末局は、帰属する張り出し無線局を介して通知されたレンジング用無線リソースで前記レンジング信号を送信し、
前記集中制御基地局は、前記複数の張り出し無線局にそれぞれ分配したレンジング用無線リソースの総和受信電力を測定し、その総和受信電力比に応じて前記レンジング用無線リソースの分配比率を決め、前記複数の張り出し無線局にそれぞれレンジング用無線リソースを再分配する
ことを特徴とする無線アクセス方法。
【請求項７】
請求項６に記載の無線アクセス方法において、
前記集中制御基地局は、前記複数の張り出し無線局にそれぞれ分配する前記レンジング用無線リソースの情報を含む制御信号を前記複数の張り出し無線局に同報通知するとともに、前記張り出し無線局に所定の無線フレームを送信し、
前記張り出し無線局は、前記同報通知された前記制御信号から自局に分配されたレンジング用無線リソースを認識し、当該レンジング用無線リソースを前記無線フレームに挿入して配下の端末局に通知する
ことを特徴とする無線アクセス方法
【請求項８】
集中制御基地局と複数の張り出し無線局が広帯域伝送路を介して接続されたマルチセル型の無線アクセス方法において、
前記集中制御基地局は、前記複数の張り出し無線局の配下でアクセス要求のある端末局の数に応じて、各張り出し無線局を順次アクティブにする期間を制御するとともに、端末局がアクセス要求を行うレンジング信号を送信するレンジング用無線リソースをアクティブの張り出し無線局を介して配下の端末局に通知し、
前記端末局は、前記アクティブの張り出し無線局から通知されたレンジング用無線リソースで前記レンジング信号を送信し、
前記集中制御基地局は、前記複数の張り出し無線局のそれぞれのアクティブ期間におけるレンジング用無線リソースの総和受信電力を測定し、その総和受信電力比に応じて各張り出し無線局のアクティブ期間を決め、前記複数の張り出し無線局を順次アクティブに制御する
ことを特徴とする無線アクセス方法。
【発明の詳細な説明】
【技術分野】
【０００１】
本発明は、集中制御基地局と張り出し無線局が広帯域伝送路を介して接続されたマルチセル型無線アクセスシステムにおいて、集中制御基地局が張り出し無線局配下の端末局がアクセス要求を行うレンジング信号を送信するレンジング用無線リソースを各張り出し無線局に分配し、各端末局がそのレンジング用無線リソースでレンジング信号を送信する無線アクセスシステムおよび端末局装置ならびに無線アクセス方法に関する。
【背景技術】
【０００２】
マルチセル型無線アクセスシステムを比較的容易に実現するには、無線信号の中継媒体として広帯域伝送路を活用する方法がある。このうち、広帯域伝送路として光ファイバを用いるものは、ＲＯＦ（Radio Over Fiber) 伝送と呼ばれる。ＲＯＦ伝送では、光キャリアを無線信号で変調して光ファイバで伝送するために伝搬損失が少なく、集中制御基地局から遠方の地域に張り出し無線局を配備することも可能になる。
【０００３】
以下、集中制御基地局より張り出し無線局の数が多い場合について説明する。集中制御基地局は、無線信号の変復調処理などのベースバンド信号処理やアクセス制御を行う。集中制御基地局が送受信する光信号は、複数の張り出し無線局との間でＲＯＦ伝送される。各張り出し無線局は、受信した光信号を電気信号に変換し、増幅して送信アンテナから配下の端末局に無線信号として送信する。また、各張り出し無線局は、配下の端末局が送信した無線信号を受信アンテナで受信し、光信号に変換してＲＯＦ伝送によって集中制御基地局に送信する。
【０００４】
ここで、複数の張り出し無線局が送受信に同一周波数を使用し、下りリンクで集中制御基地局から張り出し無線局に向けて同一のデータを送信すると、各張り出し無線局が互いに地理的・空間的に離れていても、単一の基地局配置に複数の端末局が存在する状態と等価になり、仮想的な大セルを構築することができる。すなわち、同一周波数によりカバーされるエリアを拡張し、周波数利用効率を向上させることができる。また、集中制御基地局と張り出し無線局とをＰＯＮ(Passive Optical Network) トポロジで接続する形態では、ＲＯＦ区間の光ファイバ敷設コストを低減することができる。
【０００５】
ところで、張り出し無線局の配下に複数の端末局を収容し、同時通信を行うＰ−ｍＰ(Point to multi-Points）型のシェアドアクセスを実現するには、何らかのアクセス制御が必要になる。無線通信の場合、ＣＳＭＡ／ＣＡ（Carrier Sense Multiple Access/Collision Avoidance)や、Slotted ＡＬＯＨＡなどによるランダムアクセス制御が用いられることが多い（非特許文献１）。ＣＳＭＡ／ＣＡでは、端末局がキャリアセンスし、他で使われていない判断したときに通信を開始する。Slotted ＡＬＯＨＡでは、例えば一定間隔に設けられた時間スロットから送信に使用する時間スロットをランダムに選択する。いずれも、複数の端末局同士の信号が衝突する可能性があるが、その際はランダム時間後に再送するなどして衝突確率を低減する方法がとられる。
【０００６】
ＲＯＦ伝送を用いた無線アクセスシステムの場合、張り出し無線局の位置関係によっては、複数の張り出し無線局でそれぞれ同一周波数を同時に使用する状況が発生する。
【０００７】
図１２は、ＲＯＦ伝送を用いた無線アクセスシステムにおけるランダムアクセス制御の成功例を示す。
【０００８】
図において、集中制御基地局１０と張り出し無線局２０ａ，２０ｂは、光ファイバ伝送路１および光カプラ２を介して１：２で接続される。張り出し無線局２０ａ，２０ｂは、それぞれ独立のセル＃ａ，＃ｂを形成し、張り出し無線局２０ａの配下に端末局３０ａ１，３０ａ２があり、張り出し無線局２０ｂの配下に端末局３０ｂ１がある。各端末局には、ランダムアクセス制御に用いる全セル共有の時間スロットｔ１〜ｔ６が割り当てられ、同一周波数でアクセス開始要求を行うものとする。
【０００９】
張り出し無線局２０ａのセル＃ａでは、キャリアセンスによって端末局３０ａ１が時間スロットｔ１でアクセス開始要求を行い、端末局３０ａ２が時間スロットｔ４でアクセス開始要求を行う。張り出し無線局２０ｂのセル＃ｂでは、キャリアセンスによって端末局３０ｂ１が時間スロットｔ５でアクセス開始要求を行う。各アクセス開始要求は、各時間スロットが異なるので、光カプラ２で合流しても衝突することなく集中制御基地局１０に到達し、それぞれのアクセス開始要求が処理される。
【００１０】
図１３は、ＲＯＦ伝送を用いた無線アクセスシステムにおけるランダムアクセス制御の衝突例を示す。
【００１１】
図において、集中制御基地局１０と張り出し無線局２０ａ，２０ｂ，２０ｃは、光ファイバ伝送路１および光カプラ２を介して１：３で接続される。張り出し無線局２０ａ，２０ｂ，２０ｃは、それぞれ独立のセル＃ａ，＃ｂ，＃ｃを形成し、張り出し無線局２０ａの配下に端末局３０ａ１，３０ａ２があり、張り出し無線局２０ｂの配下に端末局３０ｂ１があり、張り出し無線局２０ｃの配下に端末局３０ｃ１，３０ｃ２，３０ｃ３がある。各端末局には、ランダムアクセス制御に用いる全セル共有の時間スロットｔ１〜ｔ６が割り当てられ、同一周波数でアクセス開始要求を行うものとする。
【００１２】
張り出し無線局２０ａのセル＃ａでは、キャリアセンスによって端末局３０ａ１が時間スロットｔ３でアクセス開始要求を行い、端末局ａ２が時間スロットｔ５でアクセス開始要求を行う。張り出し無線局２０ｂのセル＃ｂでは、キャリアセンスによって端末局３０ｂ１が時間スロットｔ３でアクセス開始要求を行う。張り出し無線局２０ｃのセル＃ｃでは、キャリアセンスによって端末局３０ｃ１，３０ｃ２，３０ｃ３がそれぞれ時間スロットｔ１，ｔ４，ｔ５でアクセス開始要求を行う。各アクセス開始要求は光カプラ２で単純加算され、時間スロットｔ３では端末局３０ａ１，３０ｂ１のアクセス開始要求が重なり、時間スロットｔ５では端末局３０ａ２，３０ｃ３のアクセス開始要求が重なり、集中制御基地局１０ではそれらを認識することができず、端末局３０ｃ１，３０ｃ２のアクセス開始要求のみが処理される。
【非特許文献１】F.A.Tobagi,"Distributions of Packet Delay and Interdeparture Time in Slotted ALOHA and Carrier Sense Multiple Access", Journal of the Association for Computing Machinery, Vol.29, No.4, pp.907-927, 1982
【発明の開示】
【発明が解決しようとする課題】
【００１３】
集中制御基地局と複数の張り出し無線局を広帯域伝送路を介して接続するマルチセル型の無線アクセスシステムでは、無線通信で広く用いられているランダムアクセス制御は、各張り出し無線局の配下の端末局同士のアクセス開始要求の衝突確率を低く抑えることができる。しかし、各張り出し無線局が形成する無線セルが互いに離れて存在する場合、それぞれの無線セルのキャリアセンスは困難なため、図１３に示すように、上りリンクで各張り出し無線局配下の端末局間のアクセス開始要求の衝突確率が高まる。そのため、各端末局ではアクセス機会が得られなくなるデッドロック状態に陥ることがあり、効率的な通信ができなくなる問題があった。
【００１４】
本発明は、ＲＯＦ伝送を用いたマルチセル型の無線アクセスシステムにおいて、各張り出し無線局配下の端末局数に応じてアクセス制御を効率よく行うことができる無線アクセスシステムおよび端末局装置ならびに無線アクセス方法を提供することを目的とする。
【課題を解決するための手段】
【００１５】
第１の発明は、集中制御基地局と複数の張り出し無線局が広帯域伝送路を介して接続されたマルチセル型の無線アクセスシステムにおいて、集中制御基地局は、複数の張り出し無線局のそれぞれ配下の端末局がアクセス要求を行うレンジング信号を送信するレンジング用無線リソースを、アクセス要求のある端末局の数に応じて複数の張り出し無線局にそれぞれ分配する無線リソース制御手段を備え、端末局は、帰属する張り出し無線局を介して通知されたレンジング用無線リソースでレンジング信号を送信する構成であり、無線リソース制御手段は、複数の張り出し無線局にそれぞれ分配したレンジング用無線リソースの総和受信電力を測定し、その総和受信電力比に応じてレンジング用無線リソースの分配比率を決め、複数の張り出し無線局にそれぞれレンジング用無線リソースを再分配する構成である。
【００１７】
第１の発明の無線アクセスシステムにおける集中制御基地局は、複数の張り出し無線局にそれぞれ分配するレンジング用無線リソースの情報を含む制御信号を複数の張り出し無線局に同報通知するとともに、張り出し無線局に所定の無線フレームを送信する構成であり、張り出し無線局は、同報通知された制御信号から自局に分配されたレンジング用無線リソースを認識し、当該レンジング用無線リソースを無線フレームに挿入して配下の端末局に通知する構成である。
【００１８】
第２の発明は、集中制御基地局と複数の張り出し無線局が広帯域伝送路を介して接続されたマルチセル型の無線アクセスシステムにおいて、集中制御基地局は、複数の張り出し無線局の配下でアクセス要求のある端末局の数に応じて、各張り出し無線局を順次アクティブにする期間を制御するとともに、端末局がアクセス要求を行うレンジング信号を送信するレンジング用無線リソースをアクティブの張り出し無線局を介して配下の端末局に通知する無線リソース制御手段を備え、端末局は、アクティブの張り出し無線局から通知されたレンジング用無線リソースでレンジング信号を送信する構成であり、無線リソース制御手段は、複数の張り出し無線局のそれぞれのアクティブ期間におけるレンジング用無線リソースの総和受信電力を測定し、その総和受信電力比に応じて各張り出し無線局のアクティブ期間を決め、複数の張り出し無線局を順次アクティブに制御する構成である。
【００２０】
第１または第２の無線アクセスシステムにおける端末局は、集中制御基地局との通信コネクションが確立するまでレンジング信号の送信を繰り返し、その繰り返しごとにレンジング信号の送信電力を増大させる送信電力制御手段を備える。
【００２１】
第３の発明は、第１または第２の無線アクセスシステムにおける端末局装置において、集中制御基地局との通信コネクションが確立するまでレンジング信号の送信を繰り返し、その繰り返しごとにレンジング信号の送信電力を増大させる送信電力制御手段を備える。
【００２２】
第４の発明は、集中制御基地局と複数の張り出し無線局が広帯域伝送路を介して接続されたマルチセル型の無線アクセス方法において、集中制御基地局は、複数の張り出し無線局のそれぞれ配下の端末局がアクセス要求を行うレンジング信号を送信するレンジング用無線リソースを、アクセス要求のある端末局の数に応じて複数の張り出し無線局にそれぞれ分配し、端末局は、帰属する張り出し無線局を介して通知されたレンジング用無線リソースでレンジング信号を送信し、集中制御基地局は、複数の張り出し無線局にそれぞれ分配したレンジング用無線リソースの総和受信電力を測定し、その総和受信電力比に応じてレンジング用無線リソースの分配比率を決め、複数の張り出し無線局にそれぞれレンジング用無線リソースを再分配する。
【００２３】
第４の発明の無線アクセス方法における集中制御基地局は、複数の張り出し無線局にそれぞれ分配するレンジング用無線リソースの情報を含む制御信号を複数の張り出し無線局に同報通知するとともに、張り出し無線局に所定の無線フレームを送信し、張り出し無線局は、同報通知された制御信号から自局に分配されたレンジング用無線リソースを認識し、当該レンジング用無線リソースを無線フレームに挿入して配下の端末局に通知する。
【００２４】
第５の発明は、集中制御基地局と複数の張り出し無線局が広帯域伝送路を介して接続されたマルチセル型の無線アクセス方法において、集中制御基地局は、複数の張り出し無線局の配下でアクセス要求のある端末局の数に応じて、各張り出し無線局を順次アクティブにする期間を制御するとともに、端末局がアクセス要求を行うレンジング信号を送信するレンジング用無線リソースをアクティブの張り出し無線局を介して配下の端末局に通知し、端末局は、アクティブの張り出し無線局から通知されたレンジング用無線リソースでレンジング信号を送信し、集中制御基地局は、複数の張り出し無線局のそれぞれのアクティブ期間におけるレンジング用無線リソースの総和受信電力を測定し、その総和受信電力比に応じて各張り出し無線局のアクティブ期間を決め、複数の張り出し無線局を順次アクティブに制御する。
【発明の効果】
【００２５】
本発明は、各張り出し無線局配下でアクセス要求のある端末局数に応じて、各張り出し無線局にレンジング用無線リソースを分配する。端末局は、それぞれ分配されたレンジング用無線リソースでアクセス要求を送信することにより、各張り出し無線局の端末局間および各張り出し無線局配下の端末局同士で衝突する確率を低減し、効率的なアクセス制御が可能になる。
【００２６】
また、各張り出し無線局配下でアクセス要求のある端末局数に応じて、レンジング用無線リソース区間で測定される総和受信電力が動的に変化することを利用することにより、レンジング用無線リソースの総和受信電力比を用いてレンジング用無線リソースの再分配を行う。これにより、レンジング用無線リソースの有効利用を図りながら効率的なアクセス制御が可能になる。
【００２７】
本発明は、各張り出し無線局配下でアクセス要求のある端末局数に応じて、各張り出し無線局のアクティブ期間を制御し、各張り出し無線局を順次アクティブにする。アクティブな張り出し無線局の配下の端末局は、共通のレンジング用無線リソースでアクセス要求を送信することにより、各張り出し無線局の端末局間および各張り出し無線局配下の端末局同士で衝突する確率を低減し、効率的なアクセス制御が可能になる。
【００２８】
また、各張り出し無線局配下でアクセス要求のある端末局数に応じて、レンジング用無線リソース区間で測定される総和受信電力が動的に変化することを利用することにより、レンジング用無線リソースの総和受信電力比を用いて各張り出し無線局のアクティブ期間を可変させる。これにより、レンジング用無線リソースの有効利用を図りながら効率的なアクセス制御が可能になる。
【００２９】
また、端末局が自律的な送信電力制御を行い、端末局のアクセス要求をレンジング用無線リソースの総和受信電力に反映させることにより、有利なレンジング用無線リソースの再分配やアクティブ期間の調整が可能となり、ランダムアクセスが失敗し続けるデッドロックの発生確率を低減することができる。
【発明を実施するための最良の形態】
【００３０】
（第１の実施形態）
図１は、本発明の無線アクセスシステムの第１の実施形態を示す。
図において、集中制御基地局１０と複数の張り出し無線局２０（図では１つ）は、光ファイバ伝送路１および光カプラ（図では省略）を介して接続され、張り出し無線局２０と端末局３０は無線回線を介して接続される。ここでは、広帯域伝送路として光ファイバ伝送路１を示し、光カプラで光信号を分岐／合流することを想定しているが、同様の機能を実現する他の伝送媒体であってもよい。
【００３１】
集中制御基地局１０は、本実施形態に関与するものとして、無線信号処理部１１、レンジング領域割当制御部１２、光信号送受信部１３、総和受信電力測定部１４を備える。無線信号処理部１１は、張り出し無線局２０を介して端末局３０との間で送受信する無線信号の変復調処理などのベースバンド信号処理やアクセス制御を行う。レンジング領域割当制御部１２は、各張り出し無線局２０に割り当てるレンジング領域を通知するレンジング領域割当制御信号を出力する。光信号送受信部１３は、端末局３０に送信する無線信号および張り出し無線局２０に送信するレンジング領域割当制御信号を光信号に変換して光ファイバ伝送路１に送出し、光ファイバ伝送路１から受信する光信号を無線信号に変換して無線信号処理部１１に出力する。なお、レンジング領域割当制御信号は、例えば下り方向の制御信号用チャネルを用いて各張り出し無線局２０に伝送される。総和受信電力測定部１４は、無線信号処理部１１で処理した受信信号を入力し、各張り出し無線局２０に割り当てたレンジング領域の総和受信電力を計測し、その結果に基づいて各張り出し無線局２０に再分配するレンジング領域をレンジング領域割当制御部１２に通知する。
【００３２】
張り出し無線局２０は、本実施形態に関与するものとして、光信号送受信部２１、レンジング領域割当信号生成部２２、加算部２３、増幅器２４、送受信アンテナ２５を備える。光信号送受信部２１は、集中制御基地局１０との間で送受信する光信号と配下の端末局３０との間で送受信する無線信号の相互変換を行うとともに、集中制御基地局１０から送信されたレンジング領域割当制御信号を受信してレンジング領域割当信号生成部２２に通知する。レンジング領域割当信号生成部２２は、レンジング領域割当制御信号で通知された張り出し無線局２０のレンジング領域を検出し、配下の端末局３０に通知するレンジング領域割当信号を生成し、加算部２３で配下の端末局３０に送信する無線信号に重畳する。配下の端末局３０との間で送受信される無線信号は、増幅器２４を介して増幅され、送受信アンテナ２５で送受信される。
【００３３】
端末局３０は、本実施形態に関与するものとして、送受信アンテナ３１、無線信号処理部３３、レンジング処理部３３、送信電力制御部３４を備える。送受信アンテナ３１は、張り出し無線局２０との間の無線信号を送受信する。無線信号処理部３２は、張り出し無線局２０を介して集中制御基地局１０との間で送受信する無線信号の変復調処理などのベースバンド信号処理やアクセス制御を行う。レンジング処理部３３は、端末局がデータ通信を開始する前に、アクセス開始要求や端末送信電力制御のためのレンジング処理を行う。ここでは、レンジングのために端末局３０が送信する信号をレンジング信号と呼ぶ。張り出し無線局２０から送信されたレンジング領域割当信号を受信し、通知されたレンジング領域でレンジング信号の送信処理を行う。例えば、キャリアセンスにより所定の周波数帯の電力測定を行い、自端末の周囲で同一無線リソースが使用されていないと判断した場合に、レンジング領域として通知されたレンジング用時間スロットでレンジング信号を送信する。このとき、端末局３０は割り当てられた複数のレンジング用時間スロットからランダムに１スロットを選択する。本アクセス制御により、張り出し無線局配下の端末局同士のレンジング信号の衝突確率を低く抑えることができる。送信電力制御部３４は、必要に応じてレンジング信号の送信電力を制御する。
【００３４】
本実施形態の第１の特徴は、各張り出し無線局２０ごとにレンジング用時間スロットが重ならないように分割して割り当てることである。これにより、各張り出し無線局２０の配下の端末局３０は、それぞれ割り当てられたレンジング用時間スロットを用いてレンジング信号を送信するので、異なる張り出し無線局配下の端末局間におけるレンジング信号の衝突を回避できる。さらに、本実施形態の第２の特徴は、各張り出し無線局２０に割り当てるレンジング用時間スロットの数を配下の端末局３０のアクセス要求状況に応じて調整することである。これにより、張り出し無線局配下の端末局同士のレンジング信号の衝突確率を低減できる。
【００３５】
以下、本実施形態の第１の特徴および第２の特徴の制御について、図１〜図４を参照して具体的に説明する。図２は、本発明の無線アクセスシステムの第１の実施形態における処理手順を示す。図３，図４は、本発明の無線アクセスシステムの第１の実施形態の動作例を示す。なお、図１には、張り出し無線局２０においてレンジング領域割当制御信号からレンジング領域割当信号を生成する手順も示す。
【００３６】
まず、集中制御基地局１０は、各張り出し無線局２０のレンジング用時間スロットを任意に分配する（図２：Ｓ11）。そして、各張り出し無線局２０に分配するレンジング用時間スロット情報をレンジング領域割当制御信号として送信する（図２：Ｓ12）。各張り出し無線局２０は、レンジング領域割当制御信号を受信し、それぞれ割り当てられたレンジング用時間スロットを示すレンジング領域割当信号を生成して配下の端末局３０に送信する（図２：Ｓ21）。図３に示す例では、各張り出し無線局で共有するレンジング用時間スロットをｔ１〜ｔ６としたときに、張り出し無線局２０ａのセル＃ａに時間スロットｔ１，ｔ２、張り出し無線局２０ｂのセル＃ｂに時間スロットｔ３，ｔ４、張り出し無線局２０ｃのセル＃ｃに時間スロットｔ５，ｔ６をそれぞれ均等に割り当てる。
【００３７】
集中制御基地局１０が張り出し無線局２０を介してそれぞれ配下の端末局３０にレンジング用時間スロットを通知する処理は、例えば次のようにして行われる。集中制御基地局１０の無線信号処理部１１から端末局３０に送信する無線フレームの一部にレンジング領域割当信号を挿入する領域を形成し、集中制御基地局１０から送信する際にこの領域をヌルとする。図１の無線フレームの例では、ヘッダ領域ｈの一部にレンジング領域割当信号を挿入する領域が形成される。この無線フレームは光信号として、集中制御基地局１０の光信号処理部１３から張り出し無線局２０の光信号処理部２１に伝送され、無線フレームに戻して加算部２３に出力される。
【００３８】
一方、張り出し無線局ごとにあらかじめ異なるＩＤを付与しておき、レンジング領域割当制御部１２が各ＩＤ別にレンジング用時間スロットを指定するレンジング領域割当制御信号を生成し、例えば制御信号用チャネルを用いて各張り出し無線局２０に同報する。張り出し無線局２０のレンジング領域割当信号生成部２２は、受信したレンジング領域割当制御信号から自局のＩＤに対応するレンジング領域割当信号ａを出力し、加算部２３に入力して無線フレームのヌルの部分に挿入される。なお、レンジング領域割当信号生成部２２は、集中制御基地局１０から通知されるレンジング用時間スロット情報の各無線信号パターンをメモリに保持し、無線フレームに挿入するレンジング領域割当信号として当該無線信号パターンを選択して出力することにより、各張り出し無線局ごとに異なるレンジング領域割当信号を含む無線フレームを生成することができる。
【００３９】
次に、張り出し無線局２０の配下の端末局３０は、無線フレームを受信してレンジング領域割当信号を抽出し、レンジング処理部３３に通知する（図２：Ｓ31）。レンジング処理部３３は、レンジング領域として割り当てられたレンジング用時間スロットでレンジング信号を送信する（図２：Ｓ32）。図３に示す例では、張り出し無線局２０ａの配下の端末局３０ａ１，３０ａ２は、割り当てられた時間スロットｔ１，ｔ２でそれぞれレンジング信号を送信する。なお、端末局３０ａ１，３０ａ２が互いに同じレンジング用時間スロットを選択した場合には、双方のレンジング信号は衝突してランダムアクセス失敗となるが、図３ではそれぞれのレンジング信号が時間スロットｔ１，ｔ２に分散した例を示している。
【００４０】
張り出し無線局２０ｂの配下の端末局３０ｂ１は、割り当てられた時間スロットｔ３，ｔ４のうち時間スロットｔ３でレンジング信号を送信する。張り出し無線局２０ｃの配下の端末局３０ｃ１，３０ｃ２，３０ｃ３は、割り当てられた時間スロットｔ６，ｔ５，ｔ６でそれぞれレンジング信号を送信する。張り出し無線局２０ｃでは、３つの端末局に対してレンジング用時間スロットは２つしかないので、少なくとも２つの端末局が同じレンジング用時間スロットを選択し、レンジング信号が衝突してランダムアクセス失敗となる確率が高い。ただし、各張り出し無線局２０ａ，２０ｂ，２０ｃには、互いに異なるレンジング用時間スロットが割り当てられるので、異なる張り出し無線局配下の端末局間でレンジング信号の衝突は起こらない。
【００４１】
次に、張り出し無線局２０は、配下の端末局３０が送信したレンジング信号を光信号に変換して集中制御基地局１０に転送し、集中制御基地局１０は、張り出し無線局２０から転送されたレンジング信号を受信する（図２：Ｓ13）。そして、総和受信電力測定部１４は、各張り出し無線局に割り当てたレンジング用時間スロット区間における総和受信電力を測定する（図２：Ｓ14）。なお、総和受信電力はレンジング信号を複数回受信した結果を平均化してもよい。図３に示す例では、張り出し無線局２０ａ，２０ｂ，２０ｃに割り当てたレンジング用時間スロット区間の総和受信電力Ｐａ，Ｐｂ，Ｐｃの比は、
Ｐａ：Ｐｂ：Ｐｃ＝２：１：３
となる。レンジング用時間スロットｔ６では端末局３０ｃ１，３０ｃ３のレンジング信号が衝突しており、受信電力はその干渉により約３dB増加する。
【００４２】
ここで、集中制御基地局１０は、レンジング用時間スロットｔ１，ｔ２で、張り出し無線局２０ａの配下の端末局３０ａ１，３０ａ２のレンジング信号を検出し、レンジング用時間スロットｔ３で、張り出し無線局２０ｂの配下の端末局３０ｂ１のレンジング信号を検出する。さらに、集中制御基地局１０は、レンジング用時間スロットｔ５，ｔ６で、張り出し無線局２０ｃの配下の端末局３０ｃ１，３０ｃ３のレンジング信号が衝突しているために、端末局３０ｃ２のレンジング信号のみを検出するが、レンジング用時間スロットｔ５，ｔ６の総和受信電力から、端末局３０ｃ２以外の端末局がレンジング信号を送信しているものと推定できる。
【００４３】
次に、集中制御基地局１０は、各張り出し無線局２０に割り当てたレンジング用時間スロットでレンジング信号が検出された端末局数と総和受信電力とを比較し、レンジング信号の衝突が発生しているか否かを判断する（図２：Ｓ15）。ここで、レンジング信号の衝突ありと判断した場合には、ステップＳ14で測定した総和受信電力比に比例するように、各張り出し無線局に割り当てるレンジング用時間スロット数（整数比）を計算し、再分配する（図２：Ｓ16）。図３に示す例では、張り出し無線局２０ａ，２０ｂ，２０ｃに割り当てるレンジング用時間スロットを（ｔ１，ｔ２）、（ｔ３）、（ｔ４，ｔ５，ｔ６）として再分配する。
【００４４】
また、集中制御基地局１０は、ステップＳ14〜Ｓ16の処理と並行して、各レンジング用時間スロットごとにレンジング信号を検出した端末局との間の通信コネクションを確立し、対応する張り出し無線局を介してデータ通信を開始する（図２：Ｓ17，Ｓ33）。図３に示す例では、張り出し無線局２０ａの配下の端末局３０ａ１，３０ａ２、張り出し無線局２０ｂの配下の端末局３０ｂ１、張り出し無線局２０ｃの配下の端末局３０ｃ２のレンジング信号が検出されるので、集中制御基地局１０はこれらの端末局とのデータ通信を開始する。一方、張り出し無線局２０ｃの配下の端末局３０ｃ１，３０ｃ３は、レンジング信号を送信したものの、集中制御基地局１０との通信コネクションが確立しないために、レンジング信号を繰り返し送信する。このとき、端末局３０ｃ１，３０ｃ３の送信電力制御部３４は、レンジング信号を送信するごとに送信電力を徐々に高くすることにより、張り出し無線局２０ｃに割り当てるレンジング用時間スロットの再分配に反映させ、レンジング信号の衝突を回避するように設定してもよい。詳しくは第３の実施形態として説明する。
【００４５】
次に、集中制御基地局１０はステップＳ12に戻り、ステップＳ16のレンジング用時間スロットの再分配に基づくレンジング領域割当制御信号を各張り出し無線局２０に送信する。以下同様に、各張り出し無線局２０の配下の端末局３０から分配されたレンジング用時間スロットでのレンジング信号の送信が行われる。図４に示す例では、張り出し無線局２０ａのセル＃ａに時間スロットｔ１，ｔ２、張り出し無線局２０ｂのセル＃ｂに時間スロットｔ３、張り出し無線局２０ｃのセル＃ｃに時間スロットｔ４，ｔ５，ｔ６がそれぞれ割り当てられ、各張り出し無線局配下の端末局からそれぞれレンジング信号が送信される。
【００４６】
以上の処理を繰り返すことにより、各張り出し無線局２０の配下の端末局３０間で発生するレンジング信号の衝突を回避し、各端末局３０との間に通信コネクションを確立してデータ通信を開始することができる。
【００４７】
（第２の実施形態）
第１の実施形態の張り出し無線局２０は、集中制御基地局１０からレンジング領域割当制御信号を受信し、それぞれ個別に割り当てられたレンジング領域を示すレンジング領域割当信号を配下の端末局３０に送信し、各端末局３０がそのレンジング領域内でレンジング信号を送信する構成であった。
【００４８】
本実施形態は、第１の実施形態における第１の特徴および第２の特徴の実現手法に違いがある。
【００４９】
図５は、本発明の無線アクセスシステムの第２の実施形態を示す。図において、集中制御基地局１０は、本実施形態に関与するものとして、無線信号処理部１１、レンジング領域割当制御部１２、光信号送受信部１３、総和受信電力測定部１４を備える。張り出し無線局２０は、本実施形態に関与するものとして、光信号送受信部２１、動作制御部２６、増幅器２４、送受信アンテナ２５を備える。端末局３０は、本実施形態に関与するものとして、送受信アンテナ３１、無線信号処理部３３、レンジング処理部３３、送信電力制御部３４を備える。第１の実施形態と共通する各部の基本的な機能は同じであるが、以下に本実施形態に特有の機能について説明する。
【００５０】
集中制御基地局１０の無線信号処理部１１は、各張り出し無線局２０に共通のレンジング用時間スロットを通知するレンジング領域割当情報ｒを含む無線フレームを生成し、フレーム周期で送信する。この無線フレームは、張り出し無線局２０を介して配下の端末局３０にそのまま転送される。
【００５１】
一方、レンジング領域割当制御部１２は、各張り出し無線局２０をそれぞれアクティブにする期間である規定フレーム数を決め、各張り出し無線局に割り当てた規定フレーム数の期間以外は動作を休止させるスリープ制御信号を送信する。張り出し無線局２０の動作制御部２６はスリープ制御信号を受信し、自局に割り当てられた規定フレーム数の期間以外は休止に設定する。したがって、集中制御基地局１０から送信された無線フレームは、アクティブの張り出し無線局２０を介してその配下の端末局３０に送信され、他の張り出し無線局２０の配下の端末局３０には届かない。
【００５２】
この無線フレームを受信した端末局３０は、レンジング領域割当情報ｒで通知されたレンジング用時間スロット（図８の例ではｔ１〜ｔ６）でレンジング信号を送信する。したがって、レンジング用時間スロットは全端末局３０で共有するものの、各張り出し無線局２０が順次アクティブになることにより、レンジング用時間スロットを使用できる張り出し無線局配下の端末局３０が選択される。
【００５３】
なお、張り出し無線局２０に対するスリープ制御（アクティブ制御）は、張り出し無線局が配下の端末局に対して、一定時間の動作停止を命じるスリープ信号やＣＴＳ信号を送信し、端末局の信号送信を停止する方法や、張り出し無線局における送受信を一定時間停止して端末局の送信信号を受け入れを拒否する方法や、集中制御基地局１０と張り出し無線局との間に専用の光通信チャネルが設定される場合に、集中制御基地局で当該光通信チャネルを廃棄する方法などを用いることができる。
【００５４】
以下、本実施形態の制御について、図５〜図９を参照して具体的に説明する。図６は、本発明の無線アクセスシステムの第２の実施形態における処理手順を示す。図７〜図９は、本発明の無線アクセスシステムの第２の実施形態の動作例を示す。
【００５５】
まず、集中制御基地局１０は、各張り出し無線局２０をそれぞれアクティブにする期間である規定フレーム数を決め、１つの張り出し無線局をアクティブに制御する（図６：Ｓ41，Ｓ51）。次に、レンジング領域割当情報ｒを含む無線フレームを生成し、フレーム周期で送信する。この無線フレームは、アクティブの張り出し無線局２０を介して配下の端末局３０にそのまま転送される（図６：Ｓ41）。図７に示す例では、張り出し無線局２０ａ，２０ｂ，２０ｃの規定フレーム数はそれぞれ２，１，３に設定され、張り出し無線局２０ａは無線フレーム１，２を配下の端末局に転送し、張り出し無線局２０ｂは無線フレーム３を配下の端末局に転送し、張り出し無線局２０ｃは無線フレーム４〜６を配下の端末局に転送する。また、レンジング用時間スロット数と各張り出し無線局２０のアクティブ期間を決める規定フレーム数に応じて、各張り出し無線局２０に割り当てられるレンジング用時間スロットの総数が実質的に設定される。図８の例では、レンジング用時間スロットはｔ１〜ｔ６であり、張り出し無線局２０ａに割り当てられるレンジング用時間スロットの総数は６×２となり、張り出し無線局２０ｂに割り当てられるレンジング用時間スロットの総数は６×１となり、張り出し無線局２０ｃに割り当てられるレンジング用時間スロットの総数は６×３となる。
【００５６】
次に、アクティブな張り出し無線局２０の配下の端末局３０は、無線フレームを受信してレンジング領域割当情報ｒを抽出し、レンジング処理部３３に通知する（図６：Ｓ61）。レンジング処理部３３は、通知されたレンジング用時間スロットでレンジング信号を送信する（図６：Ｓ62）。図７および図８に示す例では、張り出し無線局２０ａの配下の端末局３０ａ１，３０ａ２は、無線フレーム１を受信している期間に、レンジング用時間スロットｔ１〜ｔ６のうちｔ１，ｔ４でそれぞれレンジング信号を送信する。なお、端末局３０ａ１，３０ａ２が互いに同じレンジング用時間スロットを選択した場合には、双方のレンジング信号は衝突してランダムアクセス失敗となるが、図８ではそれぞれのレンジング信号が時間スロットｔ１，ｔ４に分散した例を示している。
【００５７】
次に、張り出し無線局２０は、配下の端末局３０が送信したレンジング信号を光信号に変換して集中制御基地局１０に転送し、集中制御基地局１０は、張り出し無線局２０から転送されたレンジング信号を受信する（図６：Ｓ43）。そして、総和受信電力測定部１４は、レンジング用時間スロット区間における総和受信電力を測定する（図６：Ｓ44）。なお、総和受信電力は、１フレームのレンジング用時間スロット区間における平均受信電力でもよいし、規定フレーム数の合計のレンジング用時間スロット区間におけるレンジング信号の受信電力の総和あるいは平均でもよい。
【００５８】
次に、集中制御基地局１０は、レンジング信号を検出した端末局３０との間の通信コネクションを確立し、張り出し無線局２０を介してデータ通信を開始する（図６：Ｓ45，Ｓ63）。
【００５９】
次に、集中制御基地局１０は、アクティブの張り出し無線局２０に送信する無線フレームが規定フレーム数に達するまで（図６：Ｓ46）、ステップＳ42〜Ｓ45の処理を繰り返す。１つの張り出し無線局２０に対して規定フレーム数に達すると、当該張り出し無線局をスリープに制御し（図６：Ｓ47，Ｓ52）、全ての張り出し無線局２０に対するアクセス制御が一巡するまで（（図６：Ｓ48）、次の張り出し無線局２０に対してステップＳ41〜Ｓ47の処理を繰り返す。図７および図９の例では、無線フレーム３で張り出し無線局２０ａがスリープになり、張り出し無線局２０ｂがアクティブになり、端末局３０ｂ１は無線フレーム３を受信している期間に、レンジング用時間スロットｔ１〜ｔ６のうちｔ３でレンジング信号を送信する。
【００６０】
無線フレーム１〜６で張り出し無線局２０に対するアクセス制御が一巡すると、総和受信電力測定部１４は、各張り出し無線局ごとの無線フレームにおけるレンジング信号の総和受信電力を集計し、総和受信電力比に比例するように、各張り出し無線局に対応する規定フレーム数（整数比）を計算し、再分配する（図６：Ｓ49）。
【００６１】
なお、張り出し無線局２０の配下の端末局３０は、レンジング信号を送信したものの、集中制御基地局１０との通信コネクションが確立しない場合には、無線フレームを受信している間にレンジング信号を繰り返し送信する。このとき、端末局３０の送信電力制御部３４は、レンジング信号を送信するごとに送信電力を徐々に高くすることにより、規定フレーム数の再分配に反映させ、レンジング信号の衝突を回避するように設定してもよい。詳しくは第３の実施形態として説明する。
【００６２】
以上の処理を繰り返すことにより、各張り出し無線局２０の配下の端末局３０間で発生するレンジング信号の衝突を回避し、各端末局３０との間に通信コネクションを確立してデータ通信を開始することができる。
【００６３】
（第３の実施形態）
第１の実施形態および第２の実施形態の端末局３０における送信電力制御部３４の機能について、図１０を参照して説明する。
【００６４】
一般的な無線通信システムでは、上りリンク伝送における遠近問題、すなわち基地局から遠方の端末局が発する電波が、基地局近傍の端末局の発する電波によりマスキングされる問題を解決するため、端末局に送信電力制御機能が搭載されている。他端末局への与干渉を抑えるため、送信電力制御機能を有する端末局は、初回送信時は送信電力を控えめとし、通信リンクが確立されなかったときに徐々に送信電力を増大させる制御を行う。
【００６５】
第１の実施形態および第２の実施形態において、張り出し無線局２０の配下の端末局３０同士でレンジング信号の衝突が生じた場合、集中制御基地局１０ではレンジング信号を判別できないため、その端末局との通信コネクションを確立できない。なお、衝突が生じる状況は、たまたま１つのレンジング用時間スロットで複数の端末局がレンジング信号を送信した場合や、レンジング用時間スロットの総数よりも端末局数が多い場合である。
【００６６】
以下、第１の実施形態に対応して説明するが、第２の実施形態の場合にはレンジング用時間スロットの分配を規定フレーム数の分配に読み替えればよい。
【００６７】
図１０(1) は、図３に示すように、張り出し無線局２０ａが２つの端末局３０ａ１，３０ａ２を収容し、張り出し無線局２０ｂが１つの端末局３０ｂ１を収容し、張り出し無線局２０ｃが３つの端末局３０ｃ１，３０ｃ２，３０ｃ３を収容するときに、各張り出し無線局に均等にレンジング用時間スロットｔ１〜ｔ３、ｔ４〜ｔ６、ｔ７〜ｔ９が分配され、各張り出し無線局配下の端末局がそれぞれのレンジング用時間スロットでレンジング信号を送信している状態を示す。ここでは、張り出し無線局２０ｃの端末局３０ｃ１，３０ｃ３がともにレンジング用時間スロットｔ９でレンジング信号を送信し、衝突するために、集中制御基地局１０は端末局３０ｃ１，３０ｃ３のレンジング信号を検出できない。ただし、レンジング用時間スロットｔ７〜ｔ９の総和受信電力から、端末局３０ｃ２以外の端末局がレンジング信号を送信していることがわかる。
【００６８】
第１の実施形態において、端末局３０が送信したレンジング信号に対する通信コネクションの確立ができない場合、端末局３０はレンジング信号を繰り返し送信する。このとき、端末局３０ｃ１，３０ｃ３の送信電力制御部３４は、レンジング信号を送信するごとに送信電力を徐々に高くする。このとき、集中制御基地局１０の総和受信電力測定部１４で測定されるレンジング用時間スロットｔ７〜ｔ９の総和受信電力は３から４に増えて図１０(2) に示すようになると、張り出し無線局２０ａ，２０ｂ，２０ｃに割り当てたレンジング用時間スロット区間の総和受信電力Ｐａ，Ｐｂ，Ｐｃの比は、
Ｐａ：Ｐｂ：Ｐｃ＝２：１：４
となる。そこで、各張り出し無線局に割り当てるレンジング用時間スロット数（整数比）を計算する。このとき、端末局３０ｃ１，３０ｃ３のレンジング信号の送信電力増加を反映され、張り出し無線局２０ａ，２０ｂ，２０ｃに割り当てるレンジング用時間スロットは、図１０(3) に示すように、（ｔ１〜ｔ３）、（ｔ４〜ｔ５）、（ｔ６〜ｔ９）として再分配する。これにより、張り出し無線局２０ｃでは、３つの端末局に対して４つのレンジング用時間スロットが割り当てられ、レンジング信号の衝突確率を低減する。
【００６９】
図１１は、総和受信電力の実測例を示す。
図において、レンジング信号ａ１およびａ２の直流成分カット後の受信電力を基準に、レンジング信号ａ１とａ２が干渉すると約３dB増加し、レンジング信号ａ１の送信電力の増加により約６dB増加し、この送信電力増加のレンジング信号ａ１とレンジング信号ａ２が干渉すると約７dB増加する。このように、受信電力からレンジング信号の衝突に伴う干渉か、送信電力を増加させたものであるかを容易に区別し、レンジング用時間スロットの再分配に反映させることができる。
【００７０】
なお、第２の実施形態および第３の実施形態において、張り出し無線局２０ａ，２０ｂ，２０ｃに割り当てたレンジング用時間スロット区間の総和受信電力Ｐａ，Ｐｂ，Ｐｃは、集中制御基地局１０で測定する代わりに、各張り出し無線局がそれぞれ割り当てられたレンジング用時間スロット区間における総和受信電力を測定し、その測定結果を集中制御基地局１０に通知するようにしてもよい。
【００７１】
以上の説明は、各張り出し無線局２０およびその配下の端末局３０に割り当てるレンジング領域として、無線リソースを時分割するレンジング用時間スロットを例に説明したが、これに限るものではない。例えば、無線リソースを周波数分割または符号分割し、あるいは時分割を含むそれらを組み合わせて各張り出し無線局２０のレンジング領域として分配するようにしてもよい。例えば、レンジング信号としてＣＤＭＡ(Code Division Multiple Access) 符号を用いる場合、送信するＣＤＭＡ符号をランダムに選択し、さらにレンジング領域として設けられた無線リソース（一定数の時間スロットとサブキャリアで囲まれる領域）の中から任意の領域を選択して該ＣＤＭＡ符号を送信してもよい。
【図面の簡単な説明】
【００７２】
【図１】本発明の無線アクセスシステムの第１の実施形態を示す図。
【図２】本発明の無線アクセスシステムの第１の実施形態における処理手順を示すシーケンス図。
【図３】本発明の無線アクセスシステムの第１の実施形態の動作例を示す図。
【図４】本発明の無線アクセスシステムの第１の実施形態の動作例を示す図。
【図５】本発明の無線アクセスシステムの第２の実施形態を示す図。
【図６】本発明の無線アクセスシステムの第２の実施形態における処理手順を示すシーケンス図。
【図７】本発明の無線アクセスシステムの第２の実施形態の動作例を示す図。
【図８】本発明の無線アクセスシステムの第２の実施形態の動作例を示す図。
【図９】本発明の無線アクセスシステムの第２の実施形態の動作例を示す図。
【図１０】本発明の無線アクセスシステムの第３の実施形態の制御例を示す図。
【図１１】総和受信電力の実測例を示す図。
【図１２】ＲＯＦ伝送を用いた無線アクセスシステムにおけるランダムアクセス制御の成功例を示す図。
【図１３】ＲＯＦ伝送を用いた無線アクセスシステムにおけるランダムアクセス制御の失敗例を示す図。
【符号の説明】
【００７３】
１    光ファイバ伝送路
２    光カプラ
１０  集中制御基地局
１１  無線信号処理部
１２  レンジング領域割当制御部
１３  光信号送受信部
１４  総和受信電力測定部
２０  張り出し無線局
２１  光信号送受信部
２２  レンジング領域割当信号生成部
２３  加算部
２４  増幅器
２５  送受信アンテナ
２６  動作制御部
３０  端末局
３１  送受信アンテナ
３２  無線信号処理部
３３  レンジング処理部
３４  送信電力制御部
【図１】
0005090258.tif 000002
【図２】
0005090258.tif 000003
【図３】
0005090258.tif 000004
【図４】
0005090258.tif 000005
【図５】
0005090258.tif 000006
【図６】
0005090258.tif 000007
【図７】
0005090258.tif 000008
【図８】
0005090258.tif 000009
【図９】
0005090258.tif 000010
【図１０】
0005090258.tif 000011
【図１１】
0005090258.tif 000012
【図１２】
0005090258.tif 000013
【図１３】
0005090258.tif 000014